(57)【要約】【課題】車載装置の操作に必要なメカスイッチの数を低減することができ、各種操作画面の切り替え及び視線の移動を必要とせずに車載装置の操作を受け付けることができる操作装置を提供する。【解決手段】操作装置１は、空気調和機２１の操作に関する複数の項目画像を表示する液晶表示パネル１４と、液晶表示パネル１４の正面側に配されており、液晶表示パネル１４に表示される画像を透過するパネルを有し、自発光により画像を表示する有機ＥＬ表示パネル１５と、有機ＥＬ表示パネル１５への接触操作を検出するタッチパネル１６と、タッチパネル１６が検出した接触操作に基づいて有機ＥＬ表示パネル１５に所定の画像、例えば操作画像を表示させる制御装置１２とを備える。【選択図】図１
2015182603.tif 000002
【特許請求の範囲】
【請求項１】
車載装置の操作に関する画像を表示する表示パネルと、
該表示パネルの正面側に配されており、前記表示パネルに表示される画像を透過する透明なパネルを有し、自発光により画像を表示する透明表示パネルと、
該透明表示パネルへの接触操作を検出する接触操作検出部と、
該接触操作検出部が検出した接触操作に基づいて前記透明表示パネルに所定の画像を表示させる制御部と
を備える操作装置。
【請求項２】
前記表示パネルは前記車載装置の操作に関する複数の設定項目それぞれに対応する複数の画像を表示するようにしてあり、
前記透明表示パネルは、
前記接触操作検出部によって検出された接触操作の位置が前記複数の画像のいずれか一つの画像の表示位置に対応する場合、該一つの画像に対応する設定項目の内容を変更するための操作画像を表示する
請求項１に記載の操作装置。
【請求項３】
前記制御部は、
前記接触操作検出部によって検出された接触操作の位置が前記表示パネルに表示される画像の表示位置に対応する場合、前記表示パネルに表示する画像の明るさを低減させる
請求項２に記載の操作装置。
【請求項４】
前記接触操作検出部によって検出された接触操作の位置が前記操作画像の表示位置に対応する場合、前記操作画像における接触位置に応じた情報を出力する出力部を備える
請求項３に記載の操作装置。
【請求項５】
前記複数の設定項目は、空気調和機に設定される温度、風量又は送風箇所のうち少なくとも一つに対応する
請求項２から請求項４までのいずれか一つに記載の操作装置。
【請求項６】
前記表示パネル及び前記透明表示パネルは間隙を有して対向している
請求項１から請求項５までのいずれか一つに記載の操作装置。
【請求項７】
前記表示パネル及び前記透明表示パネルの表示面は略平行である
請求項１から請求項６までのいずれか一つに記載の操作装置。
【請求項８】
前記表示パネル及び前記透明表示パネルはそれぞれ液晶表示パネル及び有機ＥＬ表示パネルである
請求項１から請求項７までのいずれか一つに記載の操作装置。
【発明の詳細な説明】
【技術分野】
【０００１】
本発明は、車載装置の操作を接触操作検出部にて受け付ける操作装置に関する。
【背景技術】
【０００２】
車輌には空気調和機、音響機器等の車載装置が搭載されており、車載装置を操作するための操作装置が車輌のインスツルメントパネルに設けられている。操作装置は、空気調和機に設定された温度、風量等の設定内容を表示する液晶モニタを有し、該液晶モニタの周辺には複数のメカスイッチが配されている。
近年、車載機器の増加及び多機能化によって、車載装置の設定項目が増大しており、より多くのメカスイッチが必要になっている。また、車載装置の設定、例えば空気調和機の設定温度を大きく変更しようとした場合、使用者はメカスイッチを何度も押下する必要があり、操作性に欠けるという問題がある。
特許文献１には、タッチパネルを有するモニタ及びメカスイッチを併用し、ソフトスイッチで各種操作を受け付ける車載用操作表示装置が開示されている。使用者は、メカスイッチの操作によって設定項目を選択する。モニタには選択された設定項目の内容を変更するための画像が表示され、使用者はモニタのタッチパネルを操作することによって、車載装置の各種設定操作を行うことができる。特許文献１の車載用操作表示装置によれば、メカスイッチの数を低減し、操作性を向上させることができる。
【先行技術文献】
【特許文献】
【０００３】
【特許文献１】特開２０１１−２１８９０９号公報
【発明の概要】
【発明が解決しようとする課題】
【０００４】
しかしながら、特許文献１の車載用操作表示装置においては、設定項目を選択するメカスイッチが必要であるという問題があった。
設定項目の選択画面をモニタに表示し、接触操作検出部によって設定項目の選択を受け付ける構成も考えられるが、設定項目が選択された場合、設定項目の選択画面から、選択された設定項目の内容を変更するための操作画面に切り替える必要がある。使用者は、各画面を切り替えて車載装置の設定操作を行う必要があるため、各画面の関連性が分かりにくくなる傾向があり、操作性が悪化するという問題があった。
もちろん、モニタに設定項目の選択画面及び操作画面
を並べて表示することもできるが、モニタが大型化し、使用者は視線を各画面に移す必要があるため、車載装置の操作に煩わしさを覚えるという問題がある。
【０００５】
本発明は斯かる事情に鑑みてなされたものであり、その目的は操作性を損なうこと無く車載装置の操作に必要なメカスイッチの数を低減することができる操作装置を提供することにある。
【課題を解決するための手段】
【０００６】
本発明に係る操作装置は、車載装置の操作に関する画像を表示する表示パネルと、該表示パネルの正面側に配されており、前記表示パネルに表示される画像を透過する透明なパネルを有し、自発光により画像を表示する透明表示パネルと、該透明表示パネルへの接触操作を検出する接触操作検出部と、該接触操作検出部が検出した接触操作に基づいて前記透明表示パネルに所定の画像を表示させる制御部とを備える。
【０００７】
本発明にあっては、表示パネルは車載装置の操作に関する画像を表示する。接触操作検出部によって接触操作が検出された場合、透明表示パネルに所定の画像が表示される。
車載装置の操作に関する画像を表示パネルに表示して接触操作検出部が接触操作を検出し、接触操作に応じて所定の画像を透明表示パネルに表示させる構成であるため、車載装置の操作に必要なメカスイッチの数を低減させることができる。
また、透明表示パネルは表示パネルの正面側に配されているため、使用者は透明表示パネルに表示される画像と共に、背面側に配された表示パネルに表示される画像も視認することができる。透明表示パネルは表示パネルの正面側に配されているため、使用者は視線を移動させることなく、焦点をずらすだけで各パネルに表示される画像を視認することが可能である。
なお、透明表示パネルへの接触操作には、該透明表示パネルに対する直接的な接触操作はもちろん、透明表示パネルに保護板又は保護シート等の部材が積層されている場合、該部材に対する接触操作も本発明における透明表示パネルへの接触操作に含まれる。また、表示パネルの正面側に配された透明表示パネルは透明であるため、透明表示パネルへの接触操作は、表示パネルへの接触操作とも言える。
【０００８】
本発明に係る操作装置は、前記表示パネルは前記車載装置の操作に関する複数の設定項目それぞれに対応する複数の画像を表示するようにしてあり、前記透明表示パネルは、前記接触操作検出部によって検出された接触操作の位置が前記複数の画像のいずれか一つの画像の表示位置に対応する場合、該一つの画像に対応する設定項目の内容を変更するための操作画像を表示する。
【０００９】
本発明にあっては、表示パネルは車載装置の操作に関する複数の設定項目それぞれに対応する複数の画像を表示する。接触操作検出部によって検出された接触操作の位置が、複数の画像のいずれか一つの画像の表示位置に対応する場合、透明表示パネルは、該一つの画像に対応する設定項目の内容を変更するための操作画像を表示する。操作画像は、前記所定の画像に対応する。
従って、使用者は、表示パネルに表示される複数の画像のいずれかを接触操作検出部によって接触操作することにより、車載装置の設定項目を選択することができる。また使用者は、透明表示パネルに表示される操作画像を接触操作検出部によって接触操作することにより、選択された設定項目の内容を変更することが可能になる。
【００１０】
本発明に係る操作装置は、前記制御部は、前記接触操作検出部によって検出された接触操作の位置が前記表示パネルに表示される画像の表示位置に対応する場合、前記表示パネルに表示する画像の明るさを低減させる。
【００１１】
本発明にあっては、車載装置の操作に関する画像が接触操作検出部によって接触操作された場合、制御部は、表示パネルに表示される画像の明るさを低減させる。表示パネルの画像の明るさを低減させることによって、表示パネルに表示される画像に比べて、透明表示パネルに表示される操作画像を際立たせることができる。使用者は、主に透明表示パネルに表示される操作画像に注視するが、表示パネルに表示される画像も視認することも可能である。
【００１２】
本発明に係る操作装置は、前記接触操作検出部によって検出された接触操作の位置が前記操作画像の表示位置に対応する場合、前記操作画像における接触位置に応じた情報を出力する出力部を備える。
【００１３】
本発明にあっては、接触操作検出部によって検出された接触操作の位置が操作画像の表示位置に対応する場合、出力部は、接触操作された操作画像に応じた情報を出力する。つまり、接触操作検出部によって操作画像が操作された場合、操作の内容を出力する。
前記接触操作された操作画像に応じた情報には、接触操作の位置に対応する設定値の情報、設定値を増加させる情報、設定値を減少させる情報、接触操作のスライド量に対応した設定値の変化量等が含まれる。
【００１４】
本発明に係る操作装置は、前記複数の設定項目は、空気調和機に設定される温度、風量又は送風箇所のうち少なくとも一つに対応する。
【００１５】
本発明にあっては、操作装置は、設定項目に対応する画像として、空気調和機に設定される温度、風量及び送風箇所のうち少なくとも一つに対応する画像を表示する。
【００１６】
本発明に係る操作装置は、前記表示パネル及び前記透明表示パネルは間隙を有して対向している。
【００１７】
本発明にあっては、表示パネル及び透明表示パネルは間隙を有して対向しているため、各パネルに表示される画像は、奥行きが異なる２つの面に表示される。
従って、表示パネルに表示される画像と、透明表示パネルに表示される画像とを異なる階層の画像として使用者に認識させることが可能になる。
【００１８】
本発明に係る操作装置は、前記表示パネル及び前記透明表示パネルの表示面は略平行である。
【００１９】
本発明にあっては、表示パネル及び透明表示パネルの表示面は略平行であるため、使用者は、各パネルの表示面に焦点を合わせ易い。
【００２０】
本発明に係る操作装置は、前記表示パネル及び前記透明表示パネルはそれぞれ液晶表示パネル及び有機ＥＬ表示パネルである。
【００２１】
本発明にあっては、液晶表示パネルの正面側に透光性の有機ＥＬ表示パネルが配され、各パネルには車載装置の操作に関する画像が表示される。
【発明の効果】
【００２２】
本発明によれば、操作性を損なうこと無く車載装置の操作に必要なメカスイッチの数を低減することができる。
【図面の簡単な説明】
【００２３】
【図１】本実施形態に係る操作システムの一構成例を示す断面図である。
【図２】操作システムの一構成例を示す正面図である。
【図３】操作システムの一構成例を示すブロック図である。
【図４】空気調和機の操作に係る制御部の処理手順を示すフローチャートである。
【図５】液晶表示パネルに表示された項目画像を示す模式図である。
【図６】温度設定のサブルーチンを示すフローチャートである。
【図７】助手席側の温度設定の操作方法を示す説明図である。
【図８】助手席側の温度設定の操作方法を示す説明図である。
【図９】運転席側の温度設定の操作方法を示す説明図である。
【図１０】風量設定のサブルーチンを示すフローチャートである。
【図１１】風量設定の操作方法を示す説明図である。
【図１２】吹出口設定のサブルーチンを示すフローチャートである。
【図１３】吹出口設定の操作方法を示す説明図である。
【発明を実施するための形態】
【００２４】
以下、本発明をその実施の形態を示す図面に基づいて詳述する。
図１は本実施形態に係る操作システムの一構成例を示す断面図、図２は操作システムの一構成例を示す正面図である。本実施形態に係る操作システムは、車輌に搭載された空気調和機２１と、該空気調和機２１の動作を制御する空気調和機ＥＣＵ２と、空気調和機ＥＣＵ２へ操作情報を出力することによって、空気調和機２１を操作するための操作装置１とを備える。空気調和機２１は、コンプレッサを含む冷媒サイクル、送風ファン、該送風ファンを回転させるファンモータ、吹出口を切り替えるための切替板、切替板を駆動する切替モータ等を備える。空気調和機ＥＣＵ２には、操作装置１から出力される操作情報、車室内の温度情報等が入力し、空気調和機ＥＣＵ２は入力された各種情報に基づいて、コンプレッサの動作、ファンモータの回転速度、切替モータの回転を制御する。
【００２５】
操作装置１は、例えば車輌のインスツルメントパネルに設置された筐体１０を備える。筐体１０は中空の直方体形状をなし、図２に示すように正面視が横長の矩形状である。筐体１０には回路基板１１が収容されており、回路基板１１は、筐体１０の背面壁の内面から正面側へ突出した支持柱１０ａ，１０ａによって支持されている。回路基板１１の正面側には、表示面が正面側を向くような姿勢で液晶表示パネル１４を保持する保持体１３が設けられており、該保持体１３によって液晶表示パネル１４が保持されている。液晶表示パネル１４は例えば横長の矩形状である。回路基板１１には液晶表示パネル１４及び後述する有機ＥＬ表示パネル１５の表示を制御する制御装置１２が設けられており、液晶表示パネル１４は、制御装置１２の制御に従って空気調和機２１の操作に関する画像を表示する。
【００２６】
筐体１０の正面壁には、液晶表示パネル１４の表示面と略同形状の開口部が形成されている。該開口部には、液晶表示パネル１４と間隙を有して略平行に対向するように有機ＥＬ表示パネル１５が設けられている。有機ＥＬ表示パネル１５は、液晶表示パネル１４に表示される画像の光を透過すると共に、自発光により操作に係る画像を表示する。有機ＥＬ表示パネル１５は、液晶表示パネル１４と同様、制御装置１２の制御に従って、空気調和機２１の操作に係る画像を表示する。有機ＥＬ表示パネル１５は、例えば液晶表示パネル１４と同様、横長の矩形状である。有機ＥＬ表示パネル１５の光透過率は特に限定されるものでは無く、有機ＥＬ表示パネル１５を介して液晶表示パネル１４の画像を視認可能な光透過率を有していれば足りる。また、有機ＥＬ表示パネル１５は無色透明である必要は無く、有色であっても良い。
【００２７】
有機ＥＬ表示パネル１５の正面側には静電容量方式、抵抗膜方式、光学方式等のタッチパネル１６及び保護板１７が積層されている。タッチパネル１６は、保護板１７に対する物体の接触位置を検出する。つまり、タッチパネル１６は、保護板１７に使用者の指が接触した場合、保護板１７における使用者の指の接触位置を検出する。より具体的には、タッチパネルは使用者による接触操作を検出する。そして、タッチパネル１６は、検出した接触位置に係る信号を制御装置１２へ出力する。本実施形態では、有機ＥＬ表示パネル１５に外付けされるタッチパネル１６を説明するが、有機ＥＬ表示パネル１５にタッチパネル１６を内蔵させても良い。保護板１７は透明なガラス板又は樹脂板である。なお、タッチパネル１６は、液晶表示パネル１４及び有機ＥＬ表示パネル１５への接触操作を検出する接触操作検出部として機能する。
【００２８】
操作装置１は、筐体１０の正面壁の適宜箇所、例えば有機ＥＬ表示パネル１５の下辺側に、メカスイッチを構成する複数の操作子１８を備える。複数の操作子１８は、押下可能な押しボタンであり、有機ＥＬ表示パネル１５の下辺に沿って並んでいる。回路基板１１には、各操作子１８の押下をそれぞれ検出する複数のスイッチ１９が設けられている。複数のスイッチ１９は、各操作子１８の操作状態を示す信号を制御装置１２へ出力する。
【００２９】
図３は、操作システムの一構成例を示すブロック図である。制御装置１２は、該制御装置１２の各構成部の動作を制御する制御部１２ａを備える。制御部１２ａは、例えば一又は複数のＣＰＵ（Central Processing Unit）、マルチコアＣＰＵ等を有する。制御部１２ａには、バスを介して一時記憶部１２ｂ、記憶部１２ｃ、出力部１２ｄ、第１Ｉ／Ｆ１２ｅ、第２Ｉ／Ｆ１２ｆ、第１入力部１２ｇ及び第２入力部１２ｈが接続されている。制御部１２ａは、記憶部１２ｃに記憶されている後述の制御プログラムを一時記憶部１２ｂに読み出し、各構成部の動作を制御する。
【００３０】
一時記憶部１２ｂは、ＳＲＡＭ（Static RAM）、ＤＲＡＭ（Dynamic RAM）等の揮発性メモリである。一時記憶部１２ｂは、制御部１２ａの演算処理を実行する際に記憶部１２ｃから読み出された制御プログラム、演算処理によって生ずる各種データを一時記憶する。揮発性メモリは一時記憶部１２ｂの一例であり、不揮発性メモリで一時記憶部１２ｂを構成しても良い。
【００３１】
記憶部１２ｃは、ＥＥＰＲＯＭ（Electrically Erasable Programmable ROM）、フラッシュメモリ等の不揮発性メモリである。記憶部１２ｃは、制御部１２ａが制御装置１２の各構成部の動作を制御することにより、空気調和機２１の操作を受け付け、受け付けた操作に応じた操作情報を空気調和機ＥＣＵ２へ出力する処理を実行するための制御プログラムを記憶している。記憶部１２ｃは、空気調和機２１の操作を受け付けるための各種画像データを記憶している。
【００３２】
出力部１２ｄは、通信線を介して空気調和機ＥＣＵ２に接続されている。出力部１２ｄは、所定の通信プロトコルに従って、操作情報を空気調和機ＥＣＵ２へ出力する。制御部１２ａが出力部１２ｄを介して空気調和機ＥＣＵ２へ出力する操作情報は、例えば、空気調和機２１に設定される温度、風量、送風する吹出口等を示す情報が含まれる。
【００３３】
第１Ｉ／Ｆ１２ｅには、液晶表示パネル１４を駆動する液晶駆動部１４ａが接続されている。制御部１２ａは第１Ｉ／Ｆ１２ｅを介して画像情報を液晶駆動部１４ａへ出力する。液晶駆動部１４ａは制御部１２ａから出力された画像情報を入力し、該画像情報に基づいて液晶表示パネル１４を駆動することによって、該画像情報に係る画像を液晶表示パネル１４に表示する。
【００３４】
第２Ｉ／Ｆ１２ｆは、有機ＥＬ表示パネル１５を駆動する有機ＥＬ表示パネル１５が接続されている。制御部１２ａは第２Ｉ／Ｆ１２ｆを介して画像情報を有機ＥＬ駆動部１５ａへ出力する。有機ＥＬ駆動部１５ａは制御部１２ａから出力された画像情報を入力し、該画像情報に基づいて有機ＥＬ表示パネル１５を駆動することによって、該画像情報に係る画像を有機ＥＬ表示パネル１５に表示する。
【００３５】
第１入力部１２ｇにはタッチパネル１６が接続されており、タッチパネル１６によって検出された接触位置に係る信号が入力する。制御部１２ａは第１入力部１２ｇを介して、タッチパネル１６が検出した接触位置の情報を取得する。
【００３６】
第２入力部１２ｈにはスイッチ１９が接続されており、複数の操作子１８それぞれの押下状態を示した信号が入力する。制御部１２ａは第２入力部１２ｈを介して、操作子１８の押下状態に係る情報を取得する。
【００３７】
図４は、空気調和機２１の操作に係る制御部１２ａの処理手順を示すフローチャートである。制御部１２ａは、空気調和機２１の操作に関する複数の設定項目をそれぞれに対応する複数の項目画像３（図５参照）を液晶表示パネル１４に表示させる（ステップＳ１１）。
【００３８】
図５は、液晶表示パネル１４に表示された項目画像３を示す模式図である。液晶表示パネル１４には、項目画像３として、例えば、助手席側の設定温度に対応する助手席側設定温度画像３１、風量に対応する設定風量画像３２、吹出口に対応する設定吹出口画像３３、及び運転席側の設定温度に対応する運転席側設定温度画像３４が表示される。本実施形態の項目画像３は、空気調和機２１の設定項目を表すと共に、空気調和機２１に設定されている設定項目の内容を表示している。
具体的には、助手席側設定温度画像３１及び運転席側設定温度画像３４は、助手席側及び運転席側の設定温度をそれぞれ示した数字の画像である。設定風量画像３２は、空気調和機２１に設定された風量を縦棒の数で示す画像である。設定吹出口画像３３は、空気調和機２１からの送風を行う吹出口を示した画像である。
以下、助手席側設定温度画像３１、設定風量画像３２、設定吹出口画像３３及び運転席側設定温度画像３４のいずれか一つを適宜、項目画像３と呼ぶ。
【００３９】
ステップＳ１１の処理を終えた制御部１２ａは、タッチパネル１６にて項目画像３が選択されたか否かを判定する（ステップＳ１２）。具体的には、制御部１２ａは、タッチパネル１６の操作状態を監視しており、タッチパネル１６によって検出された接触位置が、複数の項目画像３のいずれか一つの表示位置に対応するか否かを判定する。記憶部１２ｃは液晶表示パネル１４に表示される各項目画像３の表示位置を記憶しており、制御部１２ａは接触位置と、記憶部１２ｃが記憶する各項目画像３の表示位置とを比較することによって、接触位置が項目画像３のいずれかに対応するか否かを判定することができる。
【００４０】
設定項目が選択されていないと判定した場合（ステップＳ１２：ＮＯ）、制御部１２ａはステップＳ１２の処理を再度実行し、設定項目の選択待ち受け状態で待機する。いずれかの設定項目が選択されたと判定した場合（ステップＳ１２：ＹＥＳ）、制御部１２ａは、液晶表示パネル１４に表示中の各項目画像３の明るさを低減させる（ステップＳ１３）。
【００４１】
次いで、制御部１２ａは、ステップＳ１２で選択された設定項目が温度設定であるか否かを判定する（ステップＳ１４）。選択された設定項目が温度設定であると判定した場合（ステップＳ１４：ＹＥＳ）、制御部１２ａは、温度設定に係るサブルーチンの処理を実行する（ステップＳ１５）。一時記憶部１２ｂは空気調和機２１の助手席側及び運転席側の設定温度、設定風量、並びに設定吹出口を記憶しており、制御部１２ａはステップＳ１５の処理によって一時記憶部１２ｂが記憶している設定温度の変更を行う。
なお、使用者によって選択される設定項目である温度設定には、助手席側の温度設定と、運転席側の温度設定とがあるが、両者は同様の処理であるため、主に助手席側の温度設定の処理を説明する。
【００４２】
図６は温度設定のサブルーチンを示すフローチャート、図７及び図８は助手席側の温度設定の操作方法を示す説明図である。図７Ａ及び図７Ｂに示すように、液晶表示パネル１４に項目画像３が表示されている状態で、助手席側設定温度画像３１が選択された場合、制御部１２ａは、温度設定の内容を変更するための設定温度操作画像（操作画像）を有機ＥＬ表示パネル１５に表示させる（ステップＳ４１）。図７Ｃは、液晶表示パネル１４に表示されている項目画像３の明るさが低減し、有機ＥＬ表示パネル１５に設定温度操作画像が表示された状態を示している。破線で示した項目画像３は、該項目画像３の明るさが減少していることを示している。助手席用の設定温度操作画像は、例えば、本サブルーチンにおいて未確定状態にある設定温度に対応する助手席側仮設定温度画像４１、並びに設定温度を変更するための温度スライドバー４１ａ、正ボタン４１ｃ及び負ボタン４１ｂを含む。助手席側仮設定温度画像４１は、液晶表示パネル１４の左端側に表示されている。温度スライドバー４１ａは、助手席側仮設定温度画像４１の右側に表示されている。正ボタン４１ｃ及び負ボタン４１ｂは、温度スライドバー４１ａの右側及び左側にそれぞれ表示されている。
後述するように使用者はタッチパネル１６による温度スライドバー４１ａのタップ操作、又は温度スライドバー４１ａに表示されているスライダのスライド操作によって助手席側の設定温度を変更することができる。また、使用者は、タッチパネル１６による正ボタン４１ｃ及び負ボタン４１ｂのタップ操作によって、助手席側の設定温度を増減させることができる。
【００４３】
ステップＳ４１の処理を終えた制御部１２ａは、図７Ｄに示すように、タッチパネル１６によって温度スライドバー４１ａのスライド操作が行われたか否かを判定する（ステップＳ４２）。スライド操作が行われたと判定した場合（ステップＳ４２：ＹＥＳ）、制御部１２ａは、スライダのスライド量に応じた設定温度を特定する（ステップＳ４３）。制御部１２ａは、特定された設定温度を一時記憶部１２ｂに記憶させる。
【００４４】
ステップＳ４３の処理を終えた場合、又は温度スライドバー４１ａのスライド操作が行われていないと判定した場合（ステップＳ４２：ＮＯ）、制御部１２ａは、図７Ｅに示すように、タッチパネル１６によって温度スライドバー４１ａのタップ操作が行われたか否かを判定する（ステップＳ４４）。温度スライドバー４１ａのタップ操作が行われたと判定した場合（ステップＳ４４：ＹＥＳ）、制御部１２ａは、タップ操作が行われた位置に対応する設定温度を特定する（ステップＳ４５）。制御部１２ａは、特定された設定温度を一時記憶部１２ｂに記憶させる。
【００４５】
ステップＳ４５の処理を終えた場合、又は温度スライドバー４１ａのタップ操作が行われていないと判定した場合（ステップＳ４４：ＮＯ）、制御部１２ａは、図７Ｆに示すように、タッチパネル１６によって正ボタン４１ｃのタップ操作が行われたか否かを判定する（ステップＳ４６）。正ボタン４１ｃのタップ操作が行われたと判定した場合（ステップＳ４６：ＹＥＳ）、制御部１２ａは設定温度を所定温度増加させる（ステップＳ４７）。制御部１２ａは、所定温度増加させた設定温度を一時記憶部１２ｂに記憶させる。
【００４６】
ステップＳ４７の処理を終えた場合、又は正ボタン４１ｃのタップ操作が行われていないと判定した場合（ステップＳ４６：ＮＯ）、制御部１２ａは、タッチパネル１６によって負ボタン４１ｂのタップ操作が行われたか否かを判定する（ステップＳ４８）。負ボタン４１ｂのタップ操作が行われたと判定した場合（ステップＳ４８：ＹＥＳ）、制御部１２ａは設定温度を所定温度減少させる（ステップＳ４９）。制御部１２ａは、所定温度減少させた設定温度を一時記憶部１２ｂに記憶させる。
【００４７】
以上、ステップＳ４３、ステップＳ４５，ステップＳ４７又はステップＳ４９の処理によって設定温度が変更された場合、制御部１２ａは、図８Ｇに示すように、変更後の設定温度を示した助手席側仮設定温度画像４１を有機ＥＬ表示パネル１５に表示させる。
ステップＳ４９の処理を終えた場合、又は負ボタン４１ｂのタップ操作が行われていないと判定した場合（ステップＳ４８：ＮＯ）、制御部１２ａは、温度設定の処理を終了するか否かを判定する（ステップＳ５０）。例えば、制御部１２ａは、図８Ｈに示すようにタッチパネル１６によって助手席側仮設定温度画像４１のタップ操作が行われた場合、制御部１２ａは温度設定の処理を終了すると判定する。また、制御部１２ａは、タッチパネル１６の非操作状態が所定時間継続した場合、温度設定の処理を終了すると判定する。
【００４８】
温度設定を終了しないと判定した場合（ステップＳ５０：ＮＯ）、制御部１２ａは処理をステップＳ４２へ戻す。温度設定を終了すると判定した場合（ステップＳ５０：ＹＥＳ）、制御部１２ａは、有機ＥＬ表示パネル１５の表示を消去し（ステップＳ５１）、サブルーチンの処理を終える。有機ＥＬ表示パネル１５の表示が消去され、サブルーチンの処理を終えた場合、後述するように液晶表示パネル１４に表示する項目画像３の明るさが復帰し、図８Ｉに示すように、設定温度の変更を開始する前の表示に戻る。助手席側設定温度画像３１は、変更後の設定温度を表している。
【００４９】
以上の通り、図７及び図８を用いて、主に助手席側の温度設定の操作処理を説明したが、運転席側の温度設定の操作手順も同様である。
図９は、運転席側の温度設定の操作方法を示す説明図である。図９Ａに示すように、液晶表示パネル１４に項目画像３が表示されている状態で、運転席側設定温度画像３４が選択された場合、制御部１２ａは、運転席側の温度設定の内容を変更するための設定温度操作画像を有機ＥＬ表示パネル１５に表示させる。運転席用の設定温度操作画像は、図９Ｂに示すように、運転席側仮設定温度画像４４、並びに設定温度を変更するための温度スライドバー４４ａ、正ボタン４４ｃ及び負ボタン４４ｂを含む。使用者はタッチパネル１６による温度スライドバー４４ａのタップ操作、又は温度スライドバー４４ａに表示されているスライダのスライド操作によって運転席側の設定温度を変更することができる。また、使用者は、タッチパネル１６による正ボタン４４ｃ及び負ボタン４４ｂのタップ操作によって、運転席側の設定温度を増減させることができる。
【００５０】
図４に示すように、ステップＳ１５の処理を終えた場合、又は設定項目が温度設定で無いと判定した場合（ステップＳ１４：ＮＯ）、制御部１２ａは、ステップＳ１２で選択された設定項目が風量設定であるか否かを判定する（ステップＳ１６）。選択された設定項目が風量設定であると判定した場合（ステップＳ１６：ＹＥＳ）、制御部１２ａは、風量設定に係るサブルーチンの処理を実行する（ステップＳ１７）。
【００５１】
図１０は風量設定のサブルーチンを示すフローチャート、図１１は風量設定の操作方法を示す説明図である。図１１Ａ及び図１１Ｂに示すように、液晶表示パネル１４に項目画像３が表示されている状態で設定風量画像３２が選択された場合、制御部１２ａは、風量設定の内容を変更するための設定風量操作画像（操作画像）を有機ＥＬ表示パネル１５に表示させる（ステップＳ６１）。設定風量操作画像は、例えば、送風をオフにするためのオフボタン４２、設定風量を変更するための風量スライドバー４２ａ、正ボタン４２ｃ及び負ボタン４２ｂを含む。オフボタン４２は液晶表示パネル１４の左端側に表示されている。風量スライドバー４２ａは、オフボタン４２の右側に表示されている。また、風量スライドバー４２ａには、本サブルーチンにおいて未確定状態にある設定風量の大きさを示す風量目盛りが表示されている。正ボタン４２ｃ及び負ボタン４２ｂは、風量スライドバー４２ａの右側及び左側にそれぞれ表示されている。
後述するように使用者はタッチパネル１６による風量スライドバー４２ａのタップ操作、又は風量スライドバー４２ａに表示されているスライダのスライド操作によって設定風量を変更することができる。また、使用者は、タッチパネル１６による正ボタン４２ｃ及び負ボタン４２ｂのタップ操作によって、設定風量を増減させることができる。
【００５２】
ステップＳ６１の処理を終えた制御部１２ａは、タッチパネル１６によって風量スライドバー４２ａのスライド操作が行われたか否かを判定する（ステップＳ６２）。スライド操作が行われたと判定した場合（ステップＳ６２：ＹＥＳ）、制御部１２ａは、スライダのスライド量に応じた設定風量を特定する（ステップＳ６３）。制御部１２ａは、特定された設定風量を一時記憶部１２ｂに記憶させる。
【００５３】
ステップＳ６３の処理を終えた場合、又は風量スライドバー４２ａのスライド操作が行われていないと判定した場合（ステップＳ６２：ＮＯ）、制御部１２ａは、タッチパネル１６によって風量スライドバー４２ａのタップ操作が行われたか否かを判定する（ステップＳ６４）。風量スライドバー４２ａのタップ操作が行われたと判定した場合（ステップＳ６４：ＹＥＳ）、制御部１２ａは、タップ操作が行われた位置に対応する設定風量を特定する（ステップＳ６５）。制御部１２ａは、特定された設定風量を一時記憶部１２ｂに記憶させる。
【００５４】
ステップＳ６５の処理を終えた場合、又は風量スライドバー４２ａのタップ操作が行われていないと判定した場合（ステップＳ６４：ＮＯ）、制御部１２ａは、タッチパネル１６によって正ボタン４２ｃのタップ操作が行われたか否かを判定する（ステップＳ６６）。正ボタン４２ｃのタップ操作が行われたと判定した場合（ステップＳ６６：ＹＥＳ）、制御部１２ａは設定風量を所定風量増加させる（ステップＳ６７）。制御部１２ａは、所定風量増加させた設定風量を一時記憶部１２ｂに記憶させる。
【００５５】
ステップＳ６７の処理を終えた場合、又は正ボタン４２ｃのタップ操作が行われていないと判定した場合（ステップＳ６６：ＮＯ）、制御部１２ａは、タッチパネル１６によって負ボタン４２ｂのタップ操作が行われたか否かを判定する（ステップＳ６８）。負ボタン４２ｂのタップ操作が行われたと判定した場合（ステップＳ６８：ＹＥＳ）、制御部１２ａは設定風量を所定風量減少させる（ステップＳ６９）。制御部１２ａは、所定風量減少させた設定風量を一時記憶部１２ｂに記憶させる。
【００５６】
ステップＳ６９の処理を終えた場合、又は負ボタン４２ｂのタップ操作が行われていないと判定した場合（ステップＳ６８：ＮＯ）、制御部１２ａは、タッチパネル１６によってオフボタン４２のタップ操作が行われたか否かを判定する（ステップＳ７０）。オフボタン４２のタップ操作が行われたと判定した場合（ステップＳ７０：ＹＥＳ）、制御部１２ａは、設定風量の情報として送風停止を一時記憶部１２ｂに記憶させる（ステップＳ７１）。
【００５７】
ステップＳ７１の処理を終えた場合、又はオフボタン４２のタップ操作が行われていないと判定した場合（ステップＳ７０：ＮＯ）、制御部１２ａは、風量設定の処理を終了するか否かを判定する（ステップＳ７２）。例えば、制御部１２ａは、タッチパネル１６の非操作状態が所定時間継続した場合、風量設定の処理を終了すると判定する。
【００５８】
風量設定を終了しないと判定した場合（ステップＳ７２：ＮＯ）、制御部１２ａは処理をステップＳ６２へ戻す。風量設定を終了すると判定した場合（ステップＳ７２：ＹＥＳ）、制御部１２ａは、有機ＥＬ表示パネル１５の表示を消去し（ステップＳ７３）、サブルーチンの処理を終える。有機ＥＬ表示パネル１５の表示が消去され、サブルーチンの処理を終えた場合、後述するように液晶表示パネル１４に表示する項目画像３の明るさが復帰し、設定風量の変更を開始する前の表示に戻る。設定風量画像３２は、変更後の設定風量を表している。
【００５９】
ステップＳ１７の処理を終えた場合、又は設定項目が風量設定で無いと判定した場合（ステップＳ１６：ＮＯ）、制御部１２ａは、ステップＳ１２で選択された設定項目が吹出口設定であるか否かを判定する（ステップＳ１８）。選択された設定項目が吹出口設定であると判定した場合（ステップＳ１８：ＹＥＳ）、制御部１２ａは、吹出口設定に係るサブルーチンの処理を実行する（ステップＳ１９）。
【００６０】
図１２は吹出口設定のサブルーチンを示すフローチャート、図１３は吹出口設定の操作方法を示す説明図である。図１３Ａ及び図１３Ｂに示すように、液晶表示パネル１４に項目画像３が表示されている状態で設定吹出口画像３３が選択された場合、制御部１２ａは、吹出口設定の内容を変更するための設定吹出口操作画像（操作画像）を有機ＥＬ表示パネル１５に表示させる（ステップＳ８１）。設定吹出口操作画像は、例えば、複数種類の送風態様を示した第１乃至第４吹出口画像４３ａ，４３ｂ，４３ｃ，４３ｄを含む。
後述するように使用者はタッチパネル１６による第１乃至第４吹出口画像４３ａ，４３ｂ，４３ｃ，４３ｄのタップ操作によって、使用する吹出口を切り替えることができる。
【００６１】
ステップＳ８１の処理を終えた制御部１２ａは、タッチパネル１６によって第１乃至第４吹出口画像４３ａ，４３ｂ，４３ｃ，４３ｄのタップ操作が行われたか否かを判定する（ステップＳ８２）。タップ操作が行われたと判定した場合（ステップＳ８２：ＹＥＳ）、制御部１２ａは、選択された第１乃至第４吹出口画像４３ａ，４３ｂ，４３ｃ，４３ｄのいずれかに対応する設定吹出口を特定する（ステップＳ８３）。制御部１２ａは、特定された設定吹出口を一時記憶部１２ｂに記憶させる。
【００６２】
ステップＳ８３の処理を終えた場合、又はタップ操作が行われていないと判定した場合（ステップＳ８２：ＮＯ）、制御部１２ａは、吹出口設定の処理を終了するか否かを判定する（ステップＳ８４）。例えば、制御部１２ａは、タッチパネル１６の非操作状態が所定時間継続した場合、吹出口設定の処理を終了すると判定する。
【００６３】
吹出口設定を終了しないと判定した場合（ステップＳ８４：ＮＯ）、制御部１２ａは処理をステップＳ８２へ戻す。吹出口設定を終了すると判定した場合（ステップＳ８４：ＹＥＳ）、制御部１２ａは、有機ＥＬ表示パネル１５の表示を消去し（ステップＳ８５）、サブルーチンの処理を終える。有機ＥＬ表示パネル１５の表示が消去され、サブルーチンの処理を終えた場合、後述するように液晶表示パネル１４に表示する項目画像３の明るさが復帰し、設定吹出口の変更を開始する前の表示に戻る。設定吹出口画像３３は、変更後の設定吹出口を表している。
【００６４】
ステップＳ１９の処理を終えた場合、又は設定項目が吹出口設定で無いと判定した場合（ステップＳ１８：ＮＯ）、制御部１２ａは、ステップＳ１５、ステップＳ１７又はステップＳ１９で一時記憶した変更後の温度、風量又は吹出口の設定内容を含む操作情報を、出力部１２ｄを介して空気調和機ＥＣＵ２へ出力する（ステップＳ２０）。そして、項目画像３の内容を更新する（ステップＳ２１）。そして、制御部１２ａは、液晶表示パネル１４に表示する項目画像３の明るさを復帰させ（ステップＳ２２）、処理を終える。
【００６５】
このように構成された操作装置１によれば、空気調和機２１の操作に必要なスイッチ１９の数を低減することができる。
【００６６】
また、透光性の有機ＥＬ表示パネル１５は表示パネルの正面側に配されているため、使用者は透明表示パネルに表示される各種操作画像と共に、背面側に配された液晶表示パネル１４に表示される項目画像３も視認することができる。
【００６７】
更にまた、液晶表示パネル１４及び有機ＥＬ表示パネル１５は間隙を有して対向しているため、各パネルに表示される画像は、奥行きが異なる２つの面に表示される。従って、液晶表示パネル１４に表示される項目画像３と、有機ＥＬ表示パネル１５に表示される操作画像とを異なる階層の画像として使用者に認識させることができる。このように、項目画像３及び操作画像は奥行きが異なる２つの面に立体的に表示されるため、使用者は視線の移動を行わずとも、焦点をずらすだけで液晶表示パネル１４に表示された項目画像３と、有機ＥＬ表示パネル１５に表示された操作画像とを視認することができ、空気調和機２１の設定操作を行うことができる。
【００６８】
更にまた、液晶表示パネル１４及び有機ＥＬ表示パネル１５の表示面は略平行であるため、使用者は、各パネルの表示面に焦点を合わせ易く、視認性を向上させることができる。
【００６９】
更にまた、項目画像３が選択され、有機ＥＬ表示パネル１５に操作画像が表示される場合、制御部１２ａは、液晶表示パネル１４に表示される項目画像３の明るさを低減させることにより、有機ＥＬ表示パネル１５に表示される操作画像を際立たせて表示させることができる。従って、項目画像３を選択後、使用者の視線は、有機ＥＬ表示パネル１５に表示される操作画像に誘導され、使用者は違和感無く、操作画像を視認し、空気調和機２１の各種設定操作を行うことができる。
使用者は、液晶表示パネル１４に表示される複数の項目画像３のいずれかをタッチパネル１６によって操作することにより、空気調和機２１の設定項目を選択することができる。そして、使用者は有機ＥＬ表示パネル１５に表示される操作画像をタッチパネル１６によって操作することにより、選択された設定項目の内容を変更することができる。
操作装置１は、タッチパネル１６による操作画像の操作によって入力された、空気調和機２１の温度、風量、吹出口の設定内容の情報を含む操作情報を空気調和機ＥＣＵ２へ出力することができ、空気調和機２１の設定内容を変更することができる。
【００７０】
なお、本実施形態では項目画像３が選択操作された場合、液晶表示パネル１４に表示する項目画像３の明るさを低減させる例を説明したが、項目画像３の彩度、色彩等を変更するように構成しても良い。
【００７１】
また、本実施形態では表示パネルに、１枚の有機ＥＬ表示パネル１５を配する例を説明したが、表示パネルの正面側に複数の透明表示パネルを配するように構成しても良い。複数の透明表示パネルのいずれか一つに画像を表示させる場合、他の透明表示パネル及び表示パネルに表示する画像の明るさを低減し、又は該画像を非表示にすると良い。例えば、一の透明表示パネルに画像を表示する場合、該一の透明表示パネルの正面側に配された透明表示パネルを非表示にし、前記一の透明表示パネルの背面側に配された透明表示パネル及び表示装置に表示される画像の明るさを低減させると良い。
【００７２】
更に、本実施形態では液晶表示パネル１４に有機ＥＬ表示パネル１５を配した実施形態を説明したが、各表示パネルの種類はこれらに限定されるものでは無い。
【００７３】
更にまた、本実施形態では空気調和機２１を操作する操作装置１を説明したが、音響機器、カーナビゲーション装置、その他の車載装置を操作する操作装置１に本発明を適用しても良い。
【００７４】
更に、本実施形態では、操作装置の制御装置と、空気調和機とが空気調和機ＥＣＵを介して接続される構成を説明したが、操作装置の制御装置が空気調和機に直接的に接続され、該制御装置が空気調和機の動作を制御するように構成しても良い。
【００７５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７６】
１  操作装置
２  空気調和機ＥＣＵ
１０  筐体
１１  回路基板
１２  制御装置
１２ａ  制御部
１２ｂ  一時記憶部
１２ｃ  記憶部
１２ｄ  出力部
１２ｅ  第１Ｉ／Ｆ
１２ｆ  第２Ｉ／Ｆ
１２ｇ  第１入力部
１２ｈ  第２入力部
１３  保持体
１４  液晶表示パネル
１４ａ  液晶駆動部
１５  有機ＥＬ表示パネル
１５ａ  有機ＥＬ駆動部
１６  タッチパネル
１７  保護板
１８  操作子
１９  スイッチ
２１  空気調和機
【図１】
2015182603.tif 000003
【図２】
2015182603.tif 000004
【図３】
2015182603.tif 000005
【図４】
2015182603.tif 000006
【図５】
2015182603.tif 000007
【図６】
2015182603.tif 000008
【図７】
2015182603.tif 000009
【図８】
2015182603.tif 000010
【図９】
2015182603.tif 000011
【図１０】
2015182603.tif 000012
【図１１】
2015182603.tif 000013
【図１２】
2015182603.tif 000014
【図１３】
2015182603.tif 000015